(57)【要約】  本発明の実施例によるチャネル状態測定方法は、移動局で実行するチャネル状態測定方法であって、第１のＣＳＩ−ＲＳセットの第１のリソース設定情報を取得し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、かつ前記第１のリソース設定情報がそれぞれＣＳＩ−ＲＳグループの各々に対応するＣＳＩ−ＲＳグループリソース設定情報を含む工程と、第２のＣＳＩ−ＲＳセットの第２のリソース設定情報を取得し、ここで、前記第２のＣＳＩ−ＲＳセットが１つのＣＳＩ−ＲＳを含む工程と、前記第１のリソース設定情報に指示される第１のリソースと第２のリソース設定情報に指示される第２のリソースを用いて、チャネル状態測定を行う工程とを含む、チャネル状態測定方法である。
2019530359.tif 000002
【特許請求の範囲】
【請求項１】
移動局で実行するチャネル状態測定方法であって、
第１のチャネル状態情報参照信号（ＣＳＩ−ＲＳ）セットの第１のリソース設定情報を取得し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、前記第１のリソース設定情報がＣＳＩ−ＲＳグループの各々にそれぞれ対応するＣＳＩ−ＲＳグループリソース設定情報を含む工程と、
第２のＣＳＩ−ＲＳセットの第２のリソース設定情報を取得し、ここで、前記第２のＣＳＩ−ＲＳセットが１つのＣＳＩ−ＲＳを含む工程と、
前記第１のリソース設定情報に指示される第１のリソースと第２のリソース設定情報に指示される第２のリソースとを用いて、チャネル状態測定を行う工程と、
を含む、チャネル状態測定方法。
【請求項２】
前記第１のリソース設定情報は、参照サブフレーム情報をさらに含み、
前記参照サブフレーム情報は、第１のＣＳＩ−ＲＳセットの参照リソース設定を指示し、
ＣＳＩ−ＲＳグループ毎に対応するＣＳＩ−ＲＳグループリソース設定情報は、当該ＣＳＩ−ＲＳグループに対応する、前記参照リソース設定に対するオフセットを指示する、
請求項１に記載の方法。
【請求項３】
ＣＳＩ−ＲＳグループの各々に対応するＣＳＩ−ＲＳグループリソース設定情報は、互いに独立である、請求項１に記載の方法。
【請求項４】
ＣＳＩ−ＲＳグループ中の１つのＣＳＩ−ＲＳは、Ｍ個のアンテナポートを含み、
第２のＣＳＩ−ＲＳセット中の１つのＣＳＩ−ＲＳは、Ｎ個のアンテナポートを含み、
ＭとＮが正整数であり、かつ、ＭがＮと同じであるか、又は異なる、請求項１〜３のいずれか一項に記載の方法。
【請求項５】
前記第１のリソース設定情報に指示される第１のリソースと第２のリソース設定情報に指示される第２のリソースを用いて、チャネル状態測定を行う工程は、
一つの測定期間の第１段階において、前記第１のリソースと前記第２のリソースを用いてチャネル状態測定を行う工程と、
前記測定期間の第２段階において、前記第２のリソースを用いてチャネル状態測定を行う工程と、
を含む、請求項１〜３のいずれか一項に記載の方法。
【請求項６】
一つの測定期間の第１段階において、前記第１のリソースと前記第２のリソースを用いてチャネル状態測定を行う工程は、
前記第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第１の測定結果を取得する工程と、
毎回、一つのＣＳＩ−ＲＳグループに対応するＣＳＩ−ＲＳグループリソースを用いてチャネル状態測定を行った後、前記第２のリソースを用いてチャネル状態測定を行い、そして、第２の測定結果を取得する工程と、
を含む、請求項５に記載の方法。
【請求項７】
前記方法は、
ＣＳＩ−ＲＳグループ毎の第１の測定結果に応じて、当該ＣＳＩ−ＲＳグループ中の候補ＣＳＩ−ＲＳを決定する工程と、
前記候補ＣＳＩ−ＲＳについての第１の測定フィードバックを基地局に送信する工程と、
前記第２の測定結果についての第２の測定フィードバックを基地局に送信する工程と、
をさらに含む、請求項６に記載の方法。
【請求項８】
前記第１のリソース設定情報に指示される第１のリソースと第２のリソース設定情報に指示される第２のリソースを用いて、チャネル状態測定を行う工程は、
一つの測定期間の第１段階において、前記第１のリソースを用いてチャネル状態測定を行う工程と、
前記測定期間の第２段階において、前記第２のリソースを用いてチャネル状態測定を行う工程と、
を含む、請求項１〜３のいずれか一項に記載の方法。
【請求項９】
一つの測定期間の第１段階において、前記第１のリソースを用いてチャネル状態測定を行う工程は、
前記第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第３の測定結果を取得する工程を含む、請求項８に記載の方法。
【請求項１０】
前記方法は、
ＣＳＩ−ＲＳグループ毎の第３の測定結果に応じて、当該ＣＳＩ−ＲＳグループ中の候補ＣＳＩ−ＲＳを決定する工程と、
前記候補ＣＳＩ−ＲＳについての第３の測定フィードバックを基地局に送信する工程と、
をさらに含む、請求項９に記載の方法。
【請求項１１】
前記方法は、
前記複数のＣＳＩ−ＲＳグループの第３の測定結果に応じて、複数のＣＳＩ−ＲＳグループから候補ＣＳＩ−ＲＳを選択する工程と、
前記候補ＣＳＩ−ＲＳについての第４の測定フィードバックを基地局に送信する工程と、
を含む、請求項９に記載の方法。
【請求項１２】
一つの測定期間の第１段階において、前記第１のリソースを用いてチャネル状態測定を行う工程は、
第１段階において、前記第１のリソース設定情報に指示される第１のリソースと第２のリソース設定情報に指示される第２のリソースとが同一のサブフレームにある場合、第２のリソース設定情報に指示される第２のリソースを考慮せず、第１のリソース設定情報に指示される第１のリソースを用いてチャネル状態測定を行う工程を含む、請求項８に記載の方法。
【請求項１３】
基地局で実行するチャネル状態情報参照信号（ＣＳＩ−ＲＳ）送信方法であって、
一つの測定期間の第１段階において、第１のリソースを用いて、移動局に第１のＣＳＩ−ＲＳセット中のＣＳＩ−ＲＳを送信し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、前記第１のリソースが、ＣＳＩ−ＲＳグループの各々にそれぞれ対応するＣＳＩ−ＲＳグループリソースを含み、第１段階において、ＣＳＩ−ＲＳグループを単位として、ＣＳＩ−ＲＳグループ毎に対応するＣＳＩ−ＲＳグループリソースを用いて、当該ＣＳＩ−ＲＳグループ中のＣＳＩ−ＲＳを送信する工程と、
移動局から送信されるチャネル状態測定フィードバックを受信する工程と、
受信されるチャネル状態測定フィードバックに応じて、第１のＣＳＩ−ＲＳセットから候補ＣＳＩ−ＲＳを決定する工程と、
前記測定期間の第２段階において、第２のリソース設定情報に指示される第２のリソースを用いて、移動局に前記候補ＣＳＩ−ＲＳを送信する工程と、
を含む、チャネル状態情報参照信号送信方法。
【請求項１４】
前記チャネル状態測定フィードバックは、移動局からのＣＳＩ−ＲＳグループ毎に対するＣＳＩ−ＲＳグループチャネル状態測定フィードバックを含み、
受信されるチャネル状態測定フィードバックに応じて、第１のＣＳＩ−ＲＳセットから候補ＣＳＩ−ＲＳを決定する工程は、
前記複数のＣＳＩ−ＲＳグループのＣＳＩ−ＲＳグループチャネル状態測定フィードバックに応じて、第１のＣＳＩ−ＲＳセットから候補ＣＳＩ−ＲＳを決定する工程を含む、請求項１３に記載の方法。
【請求項１５】
前記チャネル状態測定フィードバックは、第１の測定フィードバックと第２の測定フィードバックを含み、
移動局から送信されるチャネル状態測定フィードバックを受信する工程は、
前記第１段階において、移動局からの当該ＣＳＩ−ＲＳグループに対する第１の測定フィードバックを受信する工程を含み、
前記方法は、
前記第１段階において、ＣＳＩ−ＲＳグループ毎の第１の測定フィードバックに応じて、当該ＣＳＩ−ＲＳグループ中の測定しようとするＣＳＩ−ＲＳを決定する工程と、
前記第１段階において、当該ＣＳＩ−ＲＳグループ中の測定しようとするＣＳＩ−ＲＳに応じて、第２のリソース設定情報に指示される第２のリソースを用いて、移動局に前記測定しようとするＣＳＩ−ＲＳを送信する工程と、をさらに含み、
移動から送信されるチャネル状態測定フィードバックを受信する工程は、
前記第１段階において、移動局が前記測定しようとするＣＳＩ−ＲＳに対する第２の測定フィードバックを受信する工程をさらに含む、請求項１３又は１４に記載の方法。
【請求項１６】
第１のチャネル状態情報参照信号（ＣＳＩ−ＲＳ）セットの第１のリソース設定情報を取得し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、かつ第１のリソース設定情報がＣＳＩ−ＲＳグループの各々にそれぞれ対応するＣＳＩ−ＲＳグループリソース設定情報を含み、かつ、さらに第２のＣＳＩ−ＲＳセットの第２のリソース設定情報を取得し、ここで、前記第２のＣＳＩ−ＲＳセットが１つのＣＳＩ−ＲＳを含むように配置される情報取得部と、
前記第１のリソース設定情報に指示される第１のリソースと第２のリソース設定情報に指示される第２のリソースとを用いて、チャネル状態測定を行うように配置される測定部と、
を含む、移動局。
【請求項１７】
前記測定部は、一つの測定期間の第１段階において、前記第１のリソースと前記第２のリソースを用いてチャネル状態測定を行い、かつ、前記測定期間の第２段階において、前記第２のリソースを用いてチャネル状態測定を行う、請求項１６に記載の移動局。
【請求項１８】
前記測定部は、前記第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いてチャネル状態測定を行い、かつ、第１の測定結果を取得し、
毎回、一つのＣＳＩ−ＲＳグループに対応するＣＳＩ−ＲＳグループリソースを用いてチャネル状態測定を行った後、前記第２のリソースを用いてチャネル状態測定を行い、かつ、第２の測定結果を取得する、請求項１７に記載の移動局。
【請求項１９】
前記移動局は、ＣＳＩ−ＲＳグループ毎の第１の測定結果に応じて、当該ＣＳＩ−ＲＳグループ中の候補ＣＳＩ−ＲＳを決定するように配置される決定部と、
前記候補ＣＳＩ−ＲＳについての第１の測定フィードバックを基地局に送信し、及び、前記第２の測定結果についての第２の測定フィードバックを基地局に送信するように配置される送信部と、
をさらに含む、請求項１８に記載の移動局。
【請求項２０】
前記第１のフィードバックは、前記候補ＣＳＩ−ＲＳが占めるリソースを指示するＣＳＩ−ＲＳリソース指示子を含む、請求項１９に記載の移動局。
【請求項２１】
前記第１のフィードバックは、ランクインジケータ、初期プリコーディングマトリックス指標及び／又はチャネル品質指示子をさらに含む、請求項２０に記載の移動局。
【請求項２２】
前記測定部は、一つの測定期間の第１段階において、前記第１のリソースを用いてチャネル状態測定を行い、かつ、前記測定期間の第２段階において、前記第２のリソースを用いてチャネル状態測定を行う、請求項１６に記載の移動局。
【請求項２３】
前記測定部は、前記第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第３の測定結果を取得する、請求項２２に記載の移動局。
【請求項２４】
前記移動局は、ＣＳＩ−ＲＳグループ毎の第３の測定結果に応じて、当該ＣＳＩ−ＲＳグループ中の候補ＣＳＩ−ＲＳを決定するように配置される決定部と、
前記候補ＣＳＩ−ＲＳについての第３の測定フィードバックを基地局に送信するように配置する送信部と、
をさらに含む、請求項２３に記載の移動局。
【請求項２５】
前記移動局は、前記複数のＣＳＩ−ＲＳグループの第３の測定結果に応じて、複数のＣＳＩ−ＲＳグループから候補ＣＳＩ−ＲＳを選択するように配置する決定部と、
基地局に前記候補ＣＳＩ−ＲＳについての第４の測定フィードバックを送信するように配置する送信部と、
をさらに含む、請求項２３に記載の移動局。
【請求項２６】
前記測定部は、第１段階において、前記第１のリソース設定情報に指示される第１のリソースと第２のリソース設定情報に指示される第２のリソースが同一のサブフレームにある場合、第２のリソース設定情報に指示される第２のリソースを考慮せず、第１のリソース設定情報に指示される第１のリソースを用いてチャネル状態測定を行う、請求項２２に記載の移動局。
【請求項２７】
基地局であって、一つの測定期間の第１段階において、第１のリソースを用いて、移動局に第１のＣＳＩ−ＲＳセット中のＣＳＩ−ＲＳを送信し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、前記第１のリソースが、ＣＳＩ−ＲＳグループの各々にそれぞれ対応するＣＳＩ−ＲＳグループリソースを含み、第１段階において、ＣＳＩ−ＲＳグループを単位として、ＣＳＩ−ＲＳグループ毎に対応するＣＳＩ−ＲＳグループリソースを用いて、当該ＣＳＩ−ＲＳグループ中のＣＳＩ−ＲＳを送信するように配置される送信部と、
移動局から送信されるチャネル状態測定フィードバックを受信するように配置される受信部と、
受信されるチャネル状態測定フィードバックに応じて、第１のＣＳＩ−ＲＳセットから候補ＣＳＩ−ＲＳを決定するように配置される決定部と、を含み、
前記送信部は、前記測定期間の第２段階において、第２のリソース設定情報に指示される第２のリソースを用いて、移動局に前記候補ＣＳＩ−ＲＳを送信するようにさらに配置される、基地局。
【請求項２８】
前記チャネル状態測定フィードバックは、移動局からのＣＳＩ−ＲＳグループ毎に対するＣＳＩ−ＲＳグループチャネル状態測定フィードバックを含み、
前記決定部は、前記複数のＣＳＩ−ＲＳグループのＣＳＩ−ＲＳグループチャネル状態測定フィードバックに応じて、第１のＣＳＩ−ＲＳセットから候補ＣＳＩ−ＲＳを決定する、請求項２７に記載の基地局。
【請求項２９】
前記チャネル状態測定フィードバックは、第１の測定フィードバックと第２の測定フィードバックを含み、
前記受信部は、前記第１段階において、移動局からの当該ＣＳＩ−ＲＳグループに対する第１の測定フィードバックを受信し、
前記決定部は、前記第１段階において、ＣＳＩ−ＲＳグループ毎の第１の測定フィードバックに応じて、当該ＣＳＩ−ＲＳグループ中の測定しようとするＣＳＩ−ＲＳを決定するようにさらに配置され、
前記送信部は、前記第１段階において、当該ＣＳＩ−ＲＳグループ中の測定しようとするＣＳＩ−ＲＳに応じて、第２のリソース設定情報に指示される第２のリソースを用いて、前記測定しようとするＣＳＩ−ＲＳを移動局に送信するようにさらに配置され、
前記受信部は、さらに、前記第１段階において、移動局からの前記測定しようとするＣＳＩ−ＲＳに対する第２の測定フィードバックを受信するように配置される、請求項２７又は２８に記載の基地局。
【発明の詳細な説明】
【技術分野】
【０００１】
本発明は、チャネル状態測定方法、チャネル状態情報参照信号（ＣＳＩ−ＲＳ）送信方法、移動局及び基地局に関する。より具体的には、本発明は、無線通信システムにおいて使用可能なチャネル状態測定方法、チャネル状態情報参照信号（ＣＳＩ−ＲＳ）送信方法、移動局及び基地局に関する。
【背景技術】
【０００２】
ＬＴＥシステムの後継システム（例えば、ＬＴＥ−Ａｄｖａｎｃｅｄ又はＬＴＥ−Ａｄｖａｎｃｅｄ  Ｐｒｏともいう）は、全次元多入力・多出力(Ｆｕｌｌ  Ｄｉｍｅｎｓｉｏｎａｌ  ＭＩＭＯ、ＦＤ−ＭＩＭＯ)と大規模多入力・多出力（Ｍａｓｓｉｖｅ  ＭＩＭＯ）アンテナが３ＧＰＰ（第３世代パートナーシップ・プロジェクト）により検討するＬＴＥ（ロング・ターム・エヴォリューション）の無線伝送技術であることを提案する。従来のＭＩＭＯシステムと比べて、ＦＤ−ＭＩＭＯとＭａｓｓｉｖｅ  ＭＩＭＯシステムでは、移動局のデータが増加する際に、基地局がより多くのアンテナを用いてデータ伝送を行うことにより、システムのスループットを向上することができる。
【発明の概要】
【発明が解決しようとする課題】
【０００３】
ＦＤ−ＭＩＭＯとＭａｓｓｉｖｅ  ＭＩＭＯシステムでは、移動局のチャネル状態に応じて、移動局に対して、信号を伝送するように、適切なビームを割り当てることができる。具体的には、基地局は、移動局が各々のビームを測定するように、複数の候補ビームに対するチャネル状態参照信号（ＣＳＩ−ＲＳ）を周期的に移動局に送信し、移動局からのＣＳＩ−ＲＳに対するフィードバックに応じて、複数の候補ビームから移動局への続く伝送に用いられるビームを選択することができる。しかしながら、アンテナ数の増加と伴い、ビーム測定のためのシグナリングオーバヘッドも増加してしまう。一方、移動局が行うべきビーム測定と計算の複雑度とが著しく向上してしまう。これは、性能が比較的に劣る移動局が効果的なビーム測定とフィードバックを行うことができないことに繋がる。したがって、従来の方法は、ＦＤ−ＭＩＭＯとＭａｓｓｉｖｅ  ＭＩＭＯシステムに適しない。
【課題を解決するための手段】
【０００４】
本発明の一態様によれば、移動局で実行するチャネル状態測定方法であって、第１のチャネル状態情報参照信号（ＣＳＩ−ＲＳ）セットの第１のリソース設定情報を取得し、ここで、第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、かつ第１のリソース設定情報がそれぞれＣＳＩ−ＲＳグループの各々に対応するＣＳＩ−ＲＳグループリソース設定情報を含む工程と、第２のＣＳＩ−ＲＳセットの第２のリソース設定情報を取得し、ここで、第２のＣＳＩ−ＲＳセットが１つのＣＳＩ−ＲＳを含む工程と、第１のリソース設定情報に指示される第１のリソースと第２のリソース設定情報に指示される第２のリソースとを用いて、チャネル状態測定を行う工程とを含む、チャネル状態測定方法を提供する。
【０００５】
本発明の他の態様によれば、基地局で実行するチャネル状態情報参照信号（ＣＳＩ−ＲＳ）送信方法であって、１つの測定期間の第１段階において、第１のリソースを用いて、第１のＣＳＩ−ＲＳセット中のＣＳＩ−ＲＳを移動局に送信し、ここで、第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、第１のリソースがそれぞれＣＳＩ−ＲＳグループの各々に対応するＣＳＩ−ＲＳグループリソースを含み、第１段階において、ＣＳＩ−ＲＳグループを単位としてＣＳＩ−ＲＳグループ毎に対応するＣＳＩ−ＲＳグループリソースを用いて当該ＣＳＩ−ＲＳグループ中のＣＳＩ−ＲＳを送信する工程と、移動から送信されるチャネル状態測定フィードバックを受信する工程と、受信されるチャネル状態測定フィードバックに応じて、第１のＣＳＩ−ＲＳセットから候補ＣＳＩ−ＲＳを決定する工程と、測定期間の第２段階において、第２のリソース設定情報に指示される第２のリソースを用いて、移動局に候補ＣＳＩ−ＲＳを送信する工程とを含む、チャネル状態情報参照信号送信方法を提供する。
【０００６】
本発明の他の態様によれば、移動局であって、第１のチャネル状態情報参照信号（ＣＳＩ−ＲＳ）セットの第１のリソース設定情報を取得し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、かつ第１のリソース設定情報がそれぞれＣＳＩ−ＲＳグループの各々に対応するＣＳＩ−ＲＳグループリソース設定情報を含み、かつ、さらに第２のＣＳＩ−ＲＳセットの第２のリソース設定情報を取得し、ここで、前記第２のＣＳＩ−ＲＳセットが１つのＣＳＩ−ＲＳを含むように配置される情報取得部と、前記第１のリソース設定情報に指示される第１のリソースと第２のリソース設定情報に指示される第２のリソースとを用いて、チャネル状態測定を行うように配置される測定部とを含む、移動局を提供する。また、本発明の他の態様によれば、移動局は、基地局にチャネル状態測定結果をフィードバックする送信部を、さらに含むこともできる。
【０００７】
本発明の他の態様によれば、基地局であって、１つの測定期間の第１段階において、第１のリソースを用いて、第１のＣＳＩ−ＲＳセット中のＣＳＩ−ＲＳを移動局に送信し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、前記第１のリソースがそれぞれＣＳＩ−ＲＳグループの各々に対応するＣＳＩ−ＲＳグループリソースを含み、第１段階において、ＣＳＩ−ＲＳグループを単位としてＣＳＩ−ＲＳグループ毎に対応するＣＳＩ−ＲＳグループリソースを用いて当該ＣＳＩ−ＲＳグループ中のＣＳＩ−ＲＳを送信するように配置される送信部と、移動局から送信されるチャネル状態測定フィードバックを受信するように配置される受信部と、受信されるチャネル状態測定フィードバックに応じて、第１のＣＳＩ−ＲＳセットから候補ＣＳＩ−ＲＳを決定するように配置される決定部とを含み、前記送信部は、前記測定期間の第２段階において、第２のリソース設定情報に指示される第２のリソースを用いて、移動局に前記候補ＣＳＩ−ＲＳを送信するようにさらに配置される、基地局を提供する。
【発明の効果】
【０００８】
本発明の上記態様によるチャネル状態測定方法、ＣＳＩ−ＲＳ送信方法、移動局及び基地局では、検出が必要とされるビームをグループ化し、各々のＣＳＩ−ＲＳグループに異なるリソースを割り当てることにより、チャネル状態測定と計算の複雑度とを低下し、かつ移動局の性能に対する要求を低減する。
【図面の簡単な説明】
【０００９】
【図１】本発明の一実施例による、移動局で実行するチャネル状態測定方法を示すフローチャートである。
【図２】本発明の一実施例による第１のＣＳＩ−ＲＳセットの模式図である。
【図３】本発明の一例による、第１段階において行われるチャネル状態測定を示す模式図である。
【図４】本発明の他の例による、第１段階において行われるチャネル状態測定を示す模式図である。
【図５】本発明の一実施例による、基地局で実行するＣＳＩ−ＲＳ送信方法を示すフローチャートである。
【図６】本発明の一実施例による移動局を示す例示的ブロック図である。
【図７】本発明の他の実施例による移動局を示す例示的ブロック図である。
【図８】本発明の一実施例による基地局を示す例示的ブロック図である。
【発明を実施するための形態】
【００１０】
以下、図面を参照しながら、本発明の実施例によるチャネル状態測定方法、チャネル状態情報参照信号（ＣＳＩ−ＲＳ）送信方法、移動局及び基地局を説明する。図面では、同じ参照符号は、全文にわたって同じ要素を示す。なお、ここで記載される実施例は、例示的のみであり、本発明の範囲を限定するように解釈すべきでないと理解できる。また、ここで記載のＵＥは、移動端末（又は移動局ともいう）のような各種タイプのユーザ端末を含んでもよいが、便宜のため、以下でＵＥと移動局を互換的に使用される場合がある。
【００１１】
本発明による実施例は、例えば、ＦＤ−ＭＩＭＯ、Ｍａｓｓｉｖｅ  ＭＩＭＯ等のＭＩＭＯ技術を採用する通信システムに用いられる。ＭＩＭＯ技術を採用する通信システムでは、基地局は、ＵＥがチャネル測定をするために、プリコーディングされなかったＣＳＩ−ＲＳをＵＥに送信することができる。或いは、基地局は、ビームフォーミングされたＣＳＩ−ＲＳをＵＥに送信することもでき、ＵＥは、ビームフォーミングされたＣＳＩ−ＲＳに応じて、対応のビームに対してチャネル測定をすることができる。好ましくは、本発明による実施例におけるＣＳＩ−ＲＳは、ビームフォーミングされたＣＳＩ−ＲＳである。
【００１２】
以下、図１を参照しながら、移動局で実行するチャネル状態測定方法を説明する。図１は、本発明の一実施例による、移動局に適用するチャネル状態測定方法１００のフローチャートを示す。図１に示すように、ステップＳ１０１では、第１のＣＳＩ−ＲＳセットの第１のリソース設定情報を取得し、ここで、前記第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数である。第１のリソース設定情報は、それぞれＣＳＩ−ＲＳグループの各々に対応するＣＳＩ−ＲＳグループリソース設定情報を含んでもよい。例えば、ＣＳＩ−ＲＳグループの各々に対応するリソース設定は、異なってもよい。また、例えば、ＣＳＩ−ＲＳグループ毎のＣＳＩ−ＲＳグループリソース設定情報は、当該ＣＳＩ−ＲＳグループの各々のＣＳＩ−ＲＳが占めるリソースを指示することができる。
【００１３】
前記のとおり、本発明による実施例におけるＣＳＩ−ＲＳは、ビームフォーミングされたＣＳＩ−ＲＳであってもよい。具体的には、それぞれのＣＳＩ−ＲＳは、一つのビームに対応してもよい。第１のＣＳＩ−ＲＳセットに含まれるＣＳＩ−ＲＳは、基地局が生成可能な一部又は全部のビームに対応してもよい。つまり、本発明による実施例では、基地局が生成可能な一部又は全部のビームのチャネル状態を測定するための複数のＣＳＩ−ＲＳをグループ化する。
【００１４】
図２は、本発明の一実施例による第１のＣＳＩ−ＲＳセットの模式図である。図２に示すように、第１のＣＳＩ−ＲＳセット２００に、４つのＣＳＩ−ＲＳグループ２１０〜２４０が含まれ、かつＣＳＩ−ＲＳグループ毎に、２つのＣＳＩ−ＲＳが含まれる。ステップＳ１０１によれば、ＣＳＩ−ＲＳグループ２１０〜２４０にそれぞれ対応するＣＳＩ−ＲＳグループリソース設定情報を含む、第１のリソース設定情報を取得することができる。
【００１５】
また、一つのビームには、複数のアンテナポートが含まれても良い。言い換えれば、ＣＳＩ−ＲＳグループ中の１つのＣＳＩ−ＲＳは、Ｍ個のアンテナポートを含み、Ｍは正整数である。以下、一つのＣＳＩ−ＲＳに対応する一つの又は複数のアンテナポートは、一つのＣＳＩ−ＲＳリソースと呼ばれる。
【００１６】
本発明の一例によれば、各々のアンテナポートは、一つのＣＳＩ−ＲＳリソース内の異なるＣＳＩ−ＲＳポートが異なるビームを示すように、さらなるビームフォーミングにより生成されてもよい。本発明の他の例によれば、各々のアンテナポートは、一つのＣＳＩ−ＲＳリソース内の異なるＣＳＩ−ＲＳポートが、当該ＣＳＩ−ＲＳリソースに対応するビーム内のプリコーディングされないアンテナポートを示すように、さらなるビームフォーミングせずに生成されてもよい。図２に示す例では、各々のＣＳＩ−ＲＳにおける小格子がアンテナポートを示す。図２に示すように、当該例では、４つのアンテナポートにより、一つの第１のＣＳＩ−ＲＳセット中の一つのＣＳＩ−ＲＳリソースを形成することができる。
【００１７】
本発明の一例によれば、第１のリソース設定情報は、さらに、参照サブフレーム情報を含む。具体的には、参照サブフレーム情報は、第１のＣＳＩ−ＲＳセットの参照リソース設定を指示する。例えば、参照サブフレーム情報は、第１のＣＳＩ−ＲＳセット全体に対する一つの参照サブフレームを指示してもよい。この場合、ＣＳＩ−ＲＳグループ毎に対応するＣＳＩ−ＲＳグループリソース設定情報は、当該ＣＳＩ−ＲＳグループに対応する、前記参照リソース設定に対するオフセットを指示してもよい。例えば、一つのＣＳＩ−ＲＳグループのＣＳＩ−ＲＳグループリソース設定については、当該ＣＳＩ−ＲＳグループの、第１のＣＳＩ−ＲＳセットの参照サブフレームに対するオフセットを指示してもよい。
【００１８】
本発明の一例によれば、ＣＳＩ−ＲＳグループの各々に対応するＣＳＩ−ＲＳグループリソース設定情報は、互いに独立である。言い換えれば、ＣＳＩ−ＲＳグループ毎のＣＳＩ−ＲＳグループリソース設定については、当該ＣＳＩ−ＲＳグループ中のＣＳＩ−ＲＳが所在するサブフレームを指示してもよい。例えば、ＣＳＩ−ＲＳグループ毎のＣＳＩ−ＲＳグループリソース設定のみにより、当該ＣＳＩ−ＲＳグループ中のＣＳＩ−ＲＳが所在するサブフレームを決定することができる場合、第１のリソース設定情報は、第１のＣＳＩ−ＲＳセットに対する参照サブフレーム情報を含む必要がない。
【００１９】
ステップＳ１０２では、第２のＣＳＩ−ＲＳセットの第２のリソース設定情報を取得し、ここで、第２のＣＳＩ−ＲＳセットが１つのＣＳＩ−ＲＳを含む。第２のＣＳＩ−ＲＳセット中のＣＳＩ−ＲＳは、ビームフォーミングされたＣＳＩ−ＲＳであってもよい。第２のＣＳＩ−ＲＳセット中のＣＳＩ−ＲＳに対応するビームは、第１のＣＳＩ−ＲＳセット中の一つのＣＳＩ−ＲＳに対応するビームと同じであってもよい。或いは、第２のＣＳＩ−ＲＳセット中のＣＳＩ−ＲＳに対応するビームは、第１のＣＳＩ−ＲＳセット中の一つのＣＳＩ−ＲＳに対応するビームと異なってもよい。
【００２０】
また、第２のＣＳＩ−ＲＳセット中の一つのＣＳＩ−ＲＳは、Ｎ個のアンテナポートを含んでもよく、ここで、Ｎが正整数であり、かつ、第２のＣＳＩ−ＲＳセット中のＣＳＩ−ＲＳを形成するアンテナポートの数Ｎは、第１のＣＳＩ−ＲＳセット中のＣＳＩ−ＲＳを形成するアンテナポートの数Ｍと同じでもよく、異なってもよい。
【００２１】
続いて、ステップＳ１０３では、第１のリソース設定情報に指示される第１のリソースと第２のリソース設定情報に指示される第２のリソースを用いて、チャネル状態測定を行う。本発明の一例によれば、チャネル状態測定は、二段階に分けてもよい。例えば、粗略ビーム選択をする第１段階と、特定のビームに対してチャネル状態測定を行う第２段階である。
【００２２】
まず、第１段階中のチャネル状態測定を説明する。本発明の一例によれば、一つの測定期間の第１段階において、前記第１のリソースと前記第２のリソースを用いて、チャネル状態測定を行うこともできる。例えば、第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、第１の測定結果を取得する。また、毎回、一つのＣＳＩ−ＲＳグループに対応するＣＳＩ−ＲＳグループリソースを用いてチャネル状態測定を行った後、第２のリソースを用いてチャネル状態測定を行い、第２の測定結果を取得する。
【００２３】
好ましくは、一つのＣＳＩ−ＲＳグループに対してチャネル状態測定を行い、第１の測定結果を取得した後、ＣＳＩ−ＲＳグループ毎の第１の測定結果に応じて、当該ＣＳＩ−ＲＳグループ中の候補ＣＳＩ−ＲＳを決定し、前記候補ＣＳＩ−ＲＳについての第１の測定フィードバックを基地局に送信することができる。本発明の一例によれば、第１の測定フィードバックは、一つのＣＳＩ−ＲＳグループの一部のＣＳＩに対するフィードバックであってもよい。例えば、第１の測定フィードバックは、候補ＣＳＩ−ＲＳが占めるリソースを指示するＣＳＩ−ＲＳリソース指示子（ＣＳＩ−ＲＳ  Ｒｅｓｏｕｒｃｅ  Ｉｎｄｉｃａｔｏｒ、ＣＲＩ）を含んでも良い。ＣＲＩは、当該候補ＣＳＩ−ＲＳの所在するＣＳＩ−ＲＳグループにおける候補ＣＳＩ−ＲＳの番号を指示してもよい。或いは、ＣＲＩは、第１のＣＳＩ−ＲＳセット全体における候補ＣＳＩ−ＲＳの番号を指示してもよい。
【００２４】
また、本発明の一例によれば、第１の測定フィードバックは、さらに、対応するＣＳＩ−ＲＳグループに対する測定により取得されたランクインジケータ（Ｒａｎｋ  Ｉｎｄｉｃａｔｏｒ、ＲＩ）、初期プリコーディングマトリックス指標（Ｐｒｅｃｏｄｅｒ  Ｍａｔｒｉｘ  Ｉｎｄｉｃａｔｏｒ、ＰＭＩ）を含んでもよい。また、基地局に候補ＣＳＩ−ＲＳについてのより多くの情報を取得させるために、第１の測定フィードバックは、さらに、チャネル品質指示子（Ｃｈａｎｎｅｌ  Ｑｕａｌｉｔｙ  Ｉｎｄｉｃａｔｏｒ、ＣＱＩ）を含んでもよい。
【００２５】
続いて、基地局は、第１の測定フィードバックに応じて、第２のリソースを用いて、特定のビームに対するＣＳＩ−ＲＳを送信してもよい。例えば、前記特定のビームは、第１の測定フィードバックに指示される候補ビームであってもよい。また、例えば、前記特定のビームは、第１の測定フィードバックに応じて、候補ビームに基づき調整された後に取得したビームであってもよい。前記のとおり、毎回、一つのＣＳＩ−ＲＳグループに対応するＣＳＩ−ＲＳグループリソースを用いてチャネル状態測定を行った後、第２のリソースを用いてチャネル状態測定を行い、第２の測定結果を取得することができる。
【００２６】
移動局は、さらに、前記第２の測定結果についての第２の測定フィードバックを基地局に送信することもできる。本発明の一例によれば、毎回、一つのＣＳＩ−ＲＳグループ中の候補ＣＳＩ−ＲＳに対して前記第２のリソースを用いてチャネル状態測定を行った後、第２の測定フィードバックを行ってもよい。第２の測定フィードバックは、前記特定のビームについての完全なＣＳＩフィードバックを含んでもよい。例えば、第２の測定フィードバックは、前記特定のビームに対するＣＳＩ−ＲＳの測定により取得したＲＩ、ＰＭＩ、ＣＱＩを含んでもよい。或いは、移動局は、全てのＣＳＩ−ＲＳグループに対する測定を完成した後、各々のＣＳＩ−ＲＳグループの第２の測定結果に応じて、続く第２段階において使用しようとするＣＳＩ−ＲＳを選択することもでき、かつ、第２の測定フィードバックは、選択されるＣＳＩ−ＲＳについての測定結果のみを含んでもよい。
【００２７】
本例では、各ＣＳＩ−ＲＳグループについて測定を二回行い、即ち、当該ＣＳＩ−ＲＳグループ中の全てのＣＳＩ−ＲＳに対する測定と、当該ＣＳＩ−ＲＳグループ中の特定の一つのＣＳＩ−ＲＳに対する測定を行うことができる。そして、測定結果をそれぞれフィードバックすることもできる。一つのＣＳＩ−ＲＳグループ中の全てのＣＳＩ−ＲＳに対する測定の後に、さらに当該ＣＳＩ−ＲＳグループに対して、よりターゲットを絞った測定を行うため、第１の測定フィードバック中には、粗略な測定結果を含んでもよい。
【００２８】
図３は本発明の一例による、第１段階において行われるチャネル状態測定を示す模式図である。図３に示す例では、第１のＣＳＩ−ＲＳセットを図２に示す第１のＣＳＩ−ＲＳセット２００として、例示的に説明する。仮に、ＣＳＩ−ＲＳグループ２１０〜２４０に対応するＣＳＩ−ＲＳグループリソース設定情報は、それぞれ、サブフレームＳＦ１、ＳＦ３、ＳＦ５とＳＦ７を指示する。
【００２９】
図３に示すように、第１段階において、サブフレームＳＦ１においてＣＳＩ−ＲＳグループ２１０に対して測定を行う。ＣＳＩ−ＲＳグループ２１０に対する第１の測定結果に応じて、ＣＳＩ−ＲＳグループ２１０中の２番目のＣＳＩ−ＲＳチャネル状態が最適である場合、２番目のＣＳＩ−ＲＳをＣＳＩ−ＲＳグループ２１０中の候補ＣＳＩ−ＲＳとして決定し、前記候補ＣＳＩ−ＲＳについての第１の測定フィードバックを基地局に送信する。例えば、第１の測定フィードバックは、値が２であるＣＲＩを含んでもよい。続いて、基地局は、第２のリソースを用いて、ＣＳＩ−ＲＳグループ２１０中の２番目のＣＳＩ−ＲＳを送信することができる。それに応じて、移動局は、第２のリソースを用いてチャネル状態測定を行い、第２の測定結果を取得することができる。
【００３０】
続いて、サブフレームＳＦ３において、ＣＳＩ−ＲＳグループ２２０に対して測定を行う。ＣＳＩ−ＲＳグループ２２０に対する第１の測定結果に応じて、ＣＳＩ−ＲＳグループ２２０中の１番目のＣＳＩ−ＲＳチャネル状態が最適である場合、１番目のＣＳＩ−ＲＳをＣＳＩ−ＲＳグループ２２０中の候補ＣＳＩ−ＲＳとして決定し、前記候補ＣＳＩ−ＲＳについての第１の測定フィードバックを基地局に送信する。例えば、第１の測定フィードバックは、値が１であるＣＲＩを含んでもよい。続いて、基地局は、第２のリソースを用いて、ＣＳＩ−ＲＳグループ２２０中の１番目のＣＳＩ−ＲＳを送信することができる。それに応じて、移動局は、第２のリソースを用いてチャネル状態測定を行い、第２の測定結果を取得することができる。
【００３１】
また、移動局は、サブフレームＳＦ５とサブフレームＳＦ７において、それぞれ、ＣＳＩ−ＲＳグループ２３０とＣＳＩ−ＲＳグループ２４０に対して、ＣＳＩ−ＲＳグループ２１０及びＣＳＩ−ＲＳグループ２２０と同様の動作を行ってもよいが、ここでは重複の説明を省略する。
【００３２】
図３に示す例では、移動局は、ＣＳＩ−ＲＳグループ毎に対する第２の測定結果を取得した後、当該ＣＳＩ−ＲＳグループの第２の測定結果についての第２の測定フィードバックを基地局に送信することができる。或いは、移動局は、第１のＣＩＳ−ＲＳセット中の全てのＣＳＩ−ＲＳグループに対する第２の測定結果を取得した後、各々のＣＳＩ−ＲＳグループの第２の測定結果に応じて、続く第２段階において使用しようとするＣＳＩ−ＲＳを選択し、選択されるＣＳＩ−ＲＳについての測定結果を基地局に送信することができる。
【００３３】
また、本発明の他の例によれば、一つの測定期間の第１段階において、前記第１のリソースのみを用いて、チャネル状態測定を行うこともできる。例えば、第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第３の測定結果を取得する。
【００３４】
好ましくは、移動局は、一つのＣＳＩ−ＲＳグループに対してチャネル状態測定を行い、第３の測定結果を取得した後、ＣＳＩ−ＲＳグループ毎の第３の測定結果に応じて、当該ＣＳＩ−ＲＳグループ中の候補ＣＳＩ−ＲＳを決定し、そして、前記候補ＣＳＩ−ＲＳについての第３の測定フィードバックを基地局に送信することができる。或いは、移動局は、全てのＣＳＩ−ＲＳグループに対する測定を完成した後、各々のＣＳＩ−ＲＳグループの第３の測定結果に応じて、続く第２段階において使用しようとする候補ＣＳＩ−ＲＳを選択し、基地局に、候補ＣＳＩ−ＲＳについての第４の測定フィードバックを送信することができる。
【００３５】
本例では、ＣＳＩ−ＲＳグループ毎に対して測定を一回のみ行い、且つ、測定結果をフィードバックすることができ、このため、フィードバックされる測定結果は、完全なＣＳＩフィードバックを含むべきである。
【００３６】
図４は本発明の他の例による、第１段階において行われるチャネル状態測定を示す模式図である。図４に示す例では、第１のＣＳＩ−ＲＳセットを図２に示す第１のＣＳＩ−ＲＳセット２００として、例示的に説明する。仮に、ＣＳＩ−ＲＳグループ２１０〜２４０に対応するＣＳＩ−ＲＳグループリソース設定情報は、それぞれ、サブフレームＳＦ１、ＳＦ３、ＳＦ５とＳＦ７を指示する。
【００３７】
図４に示すように、第１段階において、サブフレームＳＦ１においてＣＳＩ−ＲＳグループ２１０に対して測定を行い、サブフレームＳＦ３においてＣＳＩ−ＲＳグループ２２０に対して測定を行い、サブフレームＳＦ５においてＣＳＩ−ＲＳグループ２３０に対して測定を行い、サブフレームＳＦ７においてＣＳＩ−ＲＳグループ２４０に対して測定を行う。図４に示す例では、移動局は、それぞれ、ＣＳＩ−ＲＳグループ２１０、ＣＳＩ−ＲＳグループ２２０、ＣＳＩ−ＲＳグループ２３０とＣＳＩ−ＲＳグループ２４０の第３の測定結果に応じて、各々のＣＳＩ−ＲＳグループ中の候補ＣＳＩ−ＲＳを決定し、そして、それぞれ、各々のＣＳＩ−ＲＳグループ中の候補ＣＳＩ−ＲＳについての第３の測定フィードバックを基地局に送信することができる。
【００３８】
或いは、移動局は、ＣＳＩ−ＲＳグループ２１０、ＣＳＩ−ＲＳグループ２２０、ＣＳＩ−ＲＳグループ２３０とＣＳＩ−ＲＳグループ２４０の第３の測定結果に応じて、複数のＣＳＩ−ＲＳグループから候補ＣＳＩ−ＲＳを選択し、前記候補ＣＳＩ−ＲＳについての第４の測定フィードバックを基地局に送信することもできる。
【００３９】
続いて、第２段階においてのチャネル状態測定を説明する。測定期間の第２段階において、第２のリソースを用いてチャネル状態測定を行う。前記のとおり、第２のリソースは、第２のＣＳＩ−ＲＳセット中のＣＳＩ−ＲＳが占めるリソースであり、第２のＣＳＩ−ＲＳセットには、１つのＣＳＩ−ＲＳが含まれる。基地局は、移動局の第１段階での測定フィードバックに応じて、第２のＣＳＩ−ＲＳセットに含まれるＣＳＩ−ＲＳを決定することができる。
【００４０】
また、基地局が、移動局の第１段階での測定フィードバックに応じて第２のＣＳＩ−ＲＳセットに含まれるＣＳＩ−ＲＳを決定することができるが、第２のＣＳＩ−ＲＳセットに含まれるＣＳＩ−ＲＳは、第１のＣＳＩ−ＲＳセットに含まれるＣＳＩ−ＲＳと異なってもよい。したがって、第１のＣＳＩ−ＲＳセットに対する第１のリソースと、第２のＣＳＩ−ＲＳセットに対する第２のリソースを独立して設定することができる。前記のとおり、第１段階において、移動局は、ＣＳＩ−ＲＳグループ毎に対して測定を一回のみ行うことができ、フィードバックされる測定結果は、完全なＣＳＩフィードバックを含む。この場合、第１段階において、前記第１のリソース設定情報に指示される第１のリソースと第２のリソース設定情報に指示される第２のリソースとが同一のサブフレームにある場合、第２のリソース設定情報に指示される第２のリソースを考慮せず、第１のリソース設定情報に指示される第１のリソースを用いてチャネル状態測定を行う。
【００４１】
本実施例によるチャネル状態測定方法では、検出を必要とする第１のＣＳＩ−ＲＳセット中のＣＳＩ−ＲＳを複数のグループに分け、各々のＣＳＩ−ＲＳグループに異なるリソースを割り当てることにより、チャネル状態測定と計算の複雑度を低下し、移動局の性能に対する要求を低減する。また、同じ時点でビーム測定のためのシグナリングオーバヘッドを低減する。
【００４２】
続いて、図５を参照しながら、本発明の実施例による基地局で実行するＣＳＩ−ＲＳ送信方法５００を説明する。図５は本発明の一実施例による、基地局で実行するＣＳＩ−ＲＳ送信方法５００を示すフローチャートである。図５に示すＣＳＩ−ＲＳ送信方法５００は、図１〜４を参照しながら説明されるチャネル状態測定方法１００に対応するため、ここでは、ＣＳＩ−ＲＳ送信方法５００の主な内容のみを説明し、詳細を省略する。
【００４３】
図５に示すように、ステップＳ５０１では、一つの測定期間の第１段階において、第１のリソースを用いて第１のＣＳＩ−ＲＳセット中のＣＳＩ−ＲＳを移動局に送信し、ここで、第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、第１のリソースがＣＳＩ−ＲＳグループの各々にそれぞれ対応するＣＳＩ−ＲＳグループリソースを含む。
【００４４】
ステップＳ５０２では、移動局から送信されるチャネル状態測定フィードバックを受信する。続いて、ステップＳ５０３では、受信されるチャネル状態測定フィードバックに応じて、第１のＣＳＩ−ＲＳセットから候補ＣＳＩ−ＲＳを決定する。本発明の一例によれば、チャネル状態測定フィードバックは、移動局によるＣＳＩ−ＲＳグループ毎に対するＣＳＩ−ＲＳグループチャネル状態測定フィードバックを含んでもよい。ステップＳ５０３では、第１のＣＳＩ−ＲＳセット中の複数のＣＳＩ−ＲＳグループのＣＳＩ−ＲＳグループチャネル状態測定フィードバックに応じて、第１のＣＳＩ−ＲＳセットから候補ＣＳＩ−ＲＳを決定することができる。
【００４５】
例えば、以上で図３を参照しながら説明するように、第１段階において、ＣＳＩ−ＲＳグループ毎に測定を二回行い、即ち、当該ＣＳＩ−ＲＳグループ中の全てのＣＳＩ−ＲＳに対する測定と、当該ＣＳＩ−ＲＳグループ中の特定の一つのＣＳＩ−ＲＳに対する測定とを行うことができ、チャネル状態測定フィードバックは、第１の測定フィードバックと第２の測定フィードバックとを含んでもよい。
【００４６】
具体的には、基地局は、移動局からの当該ＣＳＩ−ＲＳグループに対する第１の測定フィードバックを受信することができる。図５に示す方法５００は、さらに、第１段階において、ＣＳＩ−ＲＳグループ毎の第１の測定フィードバックに応じて、当該ＣＳＩ−ＲＳグループ中の測定しようとするＣＳＩ−ＲＳを決定することを含んでもよい。続いて、当該ＣＳＩ−ＲＳグループ中の測定しようとするＣＳＩ−ＲＳに応じて、第２のリソース設定情報に指示される第２のリソースを用いて、測定しようとするＣＳＩ−ＲＳを移動局に送信する。また、第１段階において、基地局は、移動局からの測定しようとするＣＳＩ−ＲＳに対する第２の測定フィードバックを受信することができる。ステップＳ５０３では、第２の測定フィードバックに応じて、第１のＣＳＩ−ＲＳセットから候補ＣＳＩ−ＲＳを決定することができる。
【００４７】
例えば、第２の測定フィードバックは、ＣＳＩ−ＲＳグループ毎におけるチャネル状態が最適であるＣＳＩ−ＲＳを指示することができる。この場合、ステップＳ５０３では、各々のＣＳＩ−ＲＳグループの第２の測定フィードバックに応じて、各々のＣＳＩ−ＲＳグループのチャネル状態が最適であるＣＳＩ−ＲＳにおいて、候補ＣＳＩ−ＲＳを決定することができる。また、例えば、移動局は、第１のＣＩＳ−ＲＳセット中の全てのＣＳＩ−ＲＳグループに対する第２の測定結果を取得した後、各々のＣＳＩ−ＲＳグループの第２の測定結果に応じて、続く第２段階において使用しようとするＣＳＩ−ＲＳを選択し、そして、選択されるＣＳＩ−ＲＳについての測定結果を基地局に送信することができる。即ち、第２の測定フィードバックは、移動局が第１のＣＩＳ−ＲＳセットから選択する、続く第２段階において使用しようとするＣＳＩ−ＲＳを指示することができる。この場合、ステップＳ５０３では、第２の測定フィードバックに指示されるＣＳＩ−ＲＳを第１のＣＳＩ−ＲＳセットの候補ＣＳＩ−ＲＳとしてもよい。
【００４８】
第１段階において、ＣＳＩ−ＲＳグループ毎に対して、測定を一回のみ行ってもよい。それに応じて、ステップＳ５０２では、移動局から送信される第３の測定フィードバック又は第４の測定フィードバックを受信することができる。続いて、ステップＳ５０３では、第３の測定フィードバック又は第４の測定フィードバックに応じて、第１のＣＳＩ−ＲＳセットから候補ＣＳＩ−ＲＳを決定する。以上、図４を参照しながら、第３の測定フィードバックと第４の測定フィードバックに関して説明したため、ここでは重複の説明を省略する。
【００４９】
ステップＳ５０４では、測定期間の第２段階において、第２のリソース設定情報に指示される第２のリソースを用いて、移動局に前記候補ＣＳＩ−ＲＳを送信する。第２段階において、基地局は、周期的に移動局に前記候補ＣＳＩ−ＲＳを送信することができる。また、必要に応じて、第１段階と第２段階の長さを設定することができる。
【００５０】
本実施例によるＣＳＩ−ＲＳ送信方法では、検出を必要とする第１のＣＳＩ−ＲＳセット中のＣＳＩ−ＲＳを複数のグループに分け、異なるリソースを用いて、それぞれのＣＳＩ−ＲＳグループを送信することにより、チャネル状態測定と計算の複雑度を低下し、移動局の性能に対する要求を低減する。また、同じ時点でビーム測定のためのシグナリングオーバヘッドを低減する。
【００５１】
以下、図６を参照しながら、本発明の一実施例による移動局を説明する。図６は、本発明の一実施例による、移動局６００を示す例示的ブロック図である。図６に示すように、移動局６００は、情報取得部６１０と、測定部６２０とを含む。これら２つの部以外、移動局６００は、さらに他の部品を含んでもよいが、これらの部品が本発明の実施例の内容と関係ないため、ここでは図示と説明を省略する。また、本発明の実施例による移動局６００で実行する下記操作の具体的な詳細は、以上で図１〜４を参照しながら説明したものと同じであるため、ここでは重複を避けるために、同じ詳細についての重複の説明を省略する。
【００５２】
情報取得部６１０は、第１のＣＳＩ−ＲＳセットの第１のリソース設定情報を取得し、ここで、前記第１のＣＳＩ−ＲＳセットが、複数のＣＳＩ−ＲＳグループを含み、ＣＳＩ−ＲＳグループ毎にＫ個のＣＳＩ−ＲＳを含み、Ｋが１より大きい正整数である。第１のリソース設定情報は、ＣＳＩ−ＲＳグループの各々にそれぞれ対応するＣＳＩ−ＲＳグループリソース設定情報を含んでもよい。例えば、ＣＳＩ−ＲＳグループの各々に対応するリソース設定は、異なってもよい。また、一つのビームは、複数のアンテナポートを含んでも良い。言い換えれば、ＣＳＩ−ＲＳグループ中の１つのＣＳＩ−ＲＳは、Ｍ個のアンテナポートを含み、Ｍが正整数である。以下、一つのＣＳＩ−ＲＳに対応する一つの又は複数のアンテナポートは、一つのＣＳＩ−ＲＳリソースと呼ばれる。
【００５３】
本発明の一例によれば、各々のアンテナポートは、一つのＣＳＩ−ＲＳリソース内の異なるＣＳＩ−ＲＳポートが異なるビームを示すように、さらなるビームフォーミングにより生成されてもよい。本発明の他の例によれば、各々のアンテナポートは、一つのＣＳＩ−ＲＳリソース内の異なるＣＳＩ−ＲＳポートが、当該ＣＳＩ−ＲＳリソースに対応するビーム内のプリコーディングされなかったアンテナポートを示すように、さらなるビームフォーミングせずに生成されてもよい。
【００５４】
前記のとおり、本発明による実施例におけるＣＳＩ−ＲＳは、ビームフォーミングされたＣＳＩ−ＲＳであってもよい。具体的には、それぞれのＣＳＩ−ＲＳは、一つのビームに対応してもよい。第１のＣＳＩ−ＲＳセットに含まれるＣＳＩ−ＲＳは、基地局が生成可能な一部又は全部のビームに対応してもよい。つまり、本発明による実施例では、基地局が生成可能な一部又は全部のビームのチャネル状態を測定するための複数のＣＳＩ−ＲＳをグループ化する。
【００５５】
本発明の一例によれば、第１のリソース設定情報は、さらに、参照サブフレーム情報を含む。具体的には、参照サブフレーム情報は、第１のＣＳＩ−ＲＳセットの参照リソース設定を指示する。例えば、参照サブフレーム情報は、第１のＣＳＩ−ＲＳセット全体に対する一つの参照サブフレームを指示してもよい。この場合、ＣＳＩ−ＲＳグループ毎に対応するＣＳＩ−ＲＳグループリソース設定情報は、当該ＣＳＩ−ＲＳグループに対応する、前記参照リソース設定に対するオフセットを指示してもよい。例えば、一つのＣＳＩ−ＲＳグループのＣＳＩ−ＲＳグループリソース設定については、当該ＣＳＩ−ＲＳグループの、第１のＣＳＩ−ＲＳセットの参照サブフレームに対するオフセットを指示してもよい。
【００５６】
本発明の一例によれば、ＣＳＩ−ＲＳグループの各々に対応するＣＳＩ−ＲＳグループリソース設定情報は、互いに独立である。言い換えれば、ＣＳＩ−ＲＳグループ毎のＣＳＩ−ＲＳグループリソース設定については、当該ＣＳＩ−ＲＳグループ中のＣＳＩ−ＲＳが所在するサブフレームを指示してもよい。例えば、ＣＳＩ−ＲＳグループ毎のＣＳＩ−ＲＳグループリソース設定のみにより、当該ＣＳＩ−ＲＳグループ中のＣＳＩ−ＲＳが所在するサブフレームを決定することができる場合、第１のリソース設定情報は、第１のＣＳＩ−ＲＳセットに対する参照サブフレーム情報を含む必要がない。
【００５７】
また、情報取得部６１０は、さらに、第２のＣＳＩ−ＲＳセットの第２のリソース設定情報を取得し、ここで、第２のＣＳＩ−ＲＳセットが、１つのＣＳＩ−ＲＳを含む。第２のＣＳＩ−ＲＳセット中のＣＳＩ−ＲＳは、ビームフォーミングされたＣＳＩ−ＲＳであってもよい。第２のＣＳＩ−ＲＳセット中のＣＳＩ−ＲＳに対応するビームは、第１のＣＳＩ−ＲＳセット中の一つのＣＳＩ−ＲＳに対応するビームと同じであってもよい。或いは、第２のＣＳＩ−ＲＳセット中のＣＳＩ−ＲＳに対応するビームは、第１のＣＳＩ−ＲＳセット中の一つのＣＳＩ−ＲＳに対応するビームと異なってもよい。
【００５８】
また、第２のＣＳＩ−ＲＳセット中のＣＳＩ−ＲＳは、Ｎ個のアンテナポートを含んでもよく、ここで、Ｎが正整数であり、かつ、第２のＣＳＩ−ＲＳセット中のＣＳＩ−ＲＳを形成するアンテナポートの数Ｎは、第１のＣＳＩ−ＲＳセット中のＣＳＩ−ＲＳを形成するアンテナポートの数Ｍと同じでもよく、異なってもよい。
【００５９】
続いて、測定部６２０は、第１のリソース設定情報に指示される第１のリソースと第２のリソース設定情報に指示される第２のリソースを用いて、チャネル状態測定を行う。本発明の一例によれば、チャネル状態測定は、二段階に分けることができる。例えば、粗略ビーム選択をする第１段階と、特定のビームに対してチャネル状態測定を行う第２段階である。
【００６０】
本発明の一例によれば、一つの測定期間の第１段階において、続いて、測定部６２０は、前記第１のリソースと前記第２のリソースを用いてチャネル状態測定を行う。例えば、第１段階において、ＣＳＩ−ＲＳグループを単位として、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第１の測定結果を取得する。また、続いて、測定部６２０は、毎回、一つのＣＳＩ−ＲＳグループに対応するＣＳＩ−ＲＳグループリソースを用いてチャネル状態測定を行った後、第２のリソースを用いてチャネル状態測定を行い、そして、第２の測定結果を取得する。
【００６１】
図７は、本発明の他の実施例による、移動局６００’を示す例示的ブロック図である。図７に示すように、本発明の実施例による移動局６００’は、移動局６００と同じような情報取得部６１０、測定部６２０に加えて、ＣＳＩ−ＲＳ測定結果についての情報を基地局にフィードバックするために、決定部６３０と送信部６４０をさらに含んでもよい。
【００６２】
具体的には、一つのＣＳＩ−ＲＳグループに対してチャネル状態測定を行い、そして、第１の測定結果を取得した後、決定部６３０は、ＣＳＩ−ＲＳグループ毎の第１の測定結果に応じて、当該ＣＳＩ−ＲＳグループ中の候補ＣＳＩ−ＲＳを決定することができる。送信部６４０は、前記候補ＣＳＩ−ＲＳについての第１の測定フィードバックを基地局に送信する。本発明の一例によれば、第１の測定フィードバックは、一つのＣＳＩ−ＲＳグループの一部のＣＳＩに対するフィードバックであってもよい。例えば、第１の測定フィードバックは、候補ＣＳＩ−ＲＳが占めるリソースを指示するＣＳＩ−ＲＳリソース指示子（ＣＳＩ−ＲＳ  Ｒｅｓｏｕｒｃｅ  Ｉｎｄｉｃａｔｏｒ、ＣＲＩ）を含んでも良い。ＣＲＩは、当該候補ＣＳＩ−ＲＳの所在するＣＳＩ−ＲＳグループにおける候補ＣＳＩ−ＲＳの番号を指示してもよい。或いは、ＣＲＩは、第１のＣＳＩ−ＲＳセット全体における候補ＣＳＩ−ＲＳの番号を指示してもよい。
【００６３】
また、本発明の一例によれば、第１の測定フィードバックは、さらに、対応するＣＳＩ−ＲＳグループに対する測定により取得されたランクインジケータ（Ｒａｎｋ  Ｉｎｄｉｃａｔｏｒ、ＲＩ）、初期プリコーディングマトリックス指標（Ｐｒｅｃｏｄｅｒ  Ｍａｔｒｉｘ  Ｉｎｄｉｃａｔｏｒ、ＰＭＩ）を含んでもよい。また、基地局に候補ＣＳＩ−ＲＳについてのより多くの情報を取得させるために、第１の測定フィードバックは、さらに、チャネル品質指示子（Ｃｈａｎｎｅｌ  Ｑｕａｌｉｔｙ  Ｉｎｄｉｃａｔｏｒ、ＣＱＩ）を含んでもよい。
【００６４】
続いて、基地局は、第１の測定フィードバックに応じて、第２のリソースを用いて、特定のビームに対するＣＳＩ−ＲＳを送信してもよい。例えば、前記特定のビームは、第１の測定フィードバックに指示される候補ビームであってもよい。また、例えば、前記特定のビームは、第１の測定フィードバックに応じて、候補ビームに基づき調整された後に取得したビームであってもよい。前記のとおり、毎回、一つのＣＳＩ−ＲＳグループに対応するＣＳＩ−ＲＳグループリソースを用いてチャネル状態測定を行った後、測定部６２０は、第２のリソースを用いてチャネル状態測定を行い、第２の測定結果を取得することができる。
【００６５】
送信部６４０は、前記第２の測定結果についての第２の測定フィードバックを基地局に送信することもできる。本発明の一例によれば、送信部６４０は、毎回、一つのＣＳＩ−ＲＳグループ中の候補ＣＳＩ−ＲＳに対して、前記第２のリソースを用いてチャネル状態測定を行った後、第２の測定フィードバックを行うことができる。第２の測定フィードバックは、前記特定のビームについての完全なＣＳＩフィードバックを含んでもよい。例えば、第２の測定フィードバックは、前記特定のビームに対するＣＳＩ−ＲＳの測定により取得したＲＩ、ＰＭＩ、ＣＱＩを含んでもよい。或いは、決定部６３０は、全てのＣＳＩ−ＲＳグループに対する測定を完成した後、各々のＣＳＩ−ＲＳグループの第２の測定結果に応じて、続く第２段階において使用しようとするＣＳＩ−ＲＳを選択することができ、かつ、送信部６４０で送信される第２の測定フィードバックは、選択されるＣＳＩ−ＲＳについての測定結果のみを含んでもよい。
【００６６】
本例では、ＣＳＩ−ＲＳグループ毎に測定を二回行い、即ち、当該ＣＳＩ−ＲＳグループ中の全てのＣＳＩ−ＲＳに対する測定と、当該ＣＳＩ−ＲＳグループ中の特定の一つのＣＳＩ−ＲＳに対する測定とを行うことができる。そして、それぞれ、測定結果をフィードバックすることもできる。一つのＣＳＩ−ＲＳグループ中の全てのＣＳＩ−ＲＳに対する測定の後に、さらに当該ＣＳＩ−ＲＳグループに対して、よりターゲットを絞った測定を行うため、第１の測定フィードバック中には、粗略な測定結果を含んでもよい。
【００６７】
また、本発明の他の例によれば、一つの測定期間の第１段階において、測定部６２０は、前記第１のリソースのみを用いて、チャネル状態測定を行うこともできる。例えば、第１段階において、ＣＳＩ−ＲＳグループを単位として、測定部６２０は、それぞれ、ＣＳＩ−ＲＳグループの各々に対応するＣＳＩ−ＲＳグループリソース設定情報に指示されるＣＳＩ−ＲＳグループリソースを用いて、チャネル状態測定を行い、そして、第３の測定結果を取得する。
【００６８】
好ましくは、決定部６３０は、一つのＣＳＩ−ＲＳグループに対してチャネル状態測定を行い、第３の測定結果を取得した後、ＣＳＩ−ＲＳグループ毎の第３の測定結果に応じて、当該ＣＳＩ−ＲＳグループ中の候補ＣＳＩ−ＲＳを決定することができ、そして、送信部６４０は、前記候補ＣＳＩ−ＲＳについての第３の測定フィードバックを基地局に送信することができる。或いは、決定部６３０は、全てのＣＳＩ−ＲＳグループに対する測定を完了した後、各々のＣＳＩ−ＲＳグループの第３の測定結果に応じて、続く第２段階において使用しようとする候補ＣＳＩ−ＲＳを選択することができ、そして、送信部６４０は、候補ＣＳＩ−ＲＳについての第４の測定フィードバックを基地局に送信することができる。
【００６９】
本例では、ＣＳＩ−ＲＳグループ毎に対して、測定を一回のみ行い、測定結果をフィードバックすることができるため、フィードバックされる測定結果は、完全なＣＳＩフィードバックを含むべきである。
【００７０】
また、測定期間の第２段階において、測定部６２０は、第２のリソースを用いて、チャネル状態測定を行う。前記のとおり、第２のリソースは、第２のＣＳＩ−ＲＳセット中のＣＳＩ−ＲＳが占めるリソースであり、第２のＣＳＩ−ＲＳセット中には、１つのＣＳＩ−ＲＳが含まれる。基地局は、移動局の第１段階での測定フィードバックに応じて、第２のＣＳＩ−ＲＳセットに含まれるＣＳＩ−ＲＳを決定することができる。
【００７１】
基地局は、移動局の第１段階での測定フィードバックに応じて、第２のＣＳＩ−ＲＳセットに含まれるＣＳＩ−ＲＳを決定することができるが、第２のＣＳＩ−ＲＳセットに含まれるＣＳＩ−ＲＳは、第１のＣＳＩ−ＲＳセットに含まれるＣＳＩ−ＲＳと異なってもよい。したがって、第１のＣＳＩ−ＲＳセットに対する第１のリソースと、第２のＣＳＩ−ＲＳセットに対する第２のリソースとを独立して設定することができる。前記のとおり、第１段階において、移動局は、ＣＳＩ−ＲＳグループ毎に対して、測定を一回のみ行うこともでき、フィードバックされる測定結果は、完全なＣＳＩフィードバックを含む。この場合、第１段階において、前記第１のリソース設定情報に指示される第１のリソースと第２のリソース設定情報に指示される第２のリソースが同一のサブフレームにある場合、測定部６２０は、第２のリソース設定情報に指示される第２のリソースを考慮せず、第１のリソース設定情報に指示される第１のリソースを用いてチャネル状態測定を行う。
【００７２】
本実施例による移動局では、検出を必要とする第１のＣＳＩ−ＲＳセット中のＣＳＩ−ＲＳを複数のグループに分け、各々のＣＳＩ−ＲＳグループに異なるリソースを割り当てることにより、チャネル状態測定と計算の複雑度を低下し、移動局の性能に対する要求を低減する。また、同じ時点でビーム測定のためのシグナリングオーバヘッドを低減する。
【００７３】
以下、図８を参照しながら、本発明の一実施例による基地局を説明する。図８は、本発明の一実施例による、基地局８００を示す例示的ブロック図である。図８に示すように、基地局８００は、送信部８１０と、受信部８２０と、決定部８３０とを含む。これら３つの部以外、基地局８００は、さらに他の部を含んでもよいが、これらの部が本発明の実施例の内容と関係ないため、ここでは図示と説明を省略する。また、本発明の実施例による基地局８００で実行する下記動作の具体的な詳細は、以上で図５を参照しながら説明したものと同じであるため、ここでは重複を避けるために、同じ詳細の重複の説明を省略する。
【００７４】
送信部８１０は、一つの測定期間の第１段階において、第１のリソースを用いて第１のＣＳＩ−ＲＳセット中のＣＳＩ−ＲＳを移動局に送信し、ここで、第１のＣＳＩ−ＲＳセットが複数のＣＳＩ−ＲＳグループを含み、ＣＳＩ−ＲＳグループ毎にＫ個のＣＳＩ−ＲＳを含み、Ｋが１より大きい正整数であり、第１のリソースがそれぞれＣＳＩ−ＲＳグループの各々に対応するＣＳＩ−ＲＳグループリソースを含む。
【００７５】
受信部８２０は、移動局から送信されるチャネル状態測定フィードバックを受信する。続いて、決定部８３０は、受信されるチャネル状態測定フィードバックに応じて、第１のＣＳＩ−ＲＳセットから候補ＣＳＩ−ＲＳを決定する。本発明の一例によれば、チャネル状態測定フィードバックは、移動局からのＣＳＩ−ＲＳグループ毎に対するＣＳＩ−ＲＳグループチャネル状態測定フィードバックを含んでもよい。決定部８３０は、第１のＣＳＩ−ＲＳセット中の複数のＣＳＩ−ＲＳグループのＣＳＩ−ＲＳグループチャネル状態測定フィードバックに応じて、第１のＣＳＩ−ＲＳセットから候補ＣＳＩ−ＲＳを決定することができる。
【００７６】
例えば、以上で図３を参照しながら説明するように、第１段階において、ＣＳＩ−ＲＳグループ毎に測定を二回行い、即ち、当該ＣＳＩ−ＲＳグループ中の全てのＣＳＩ−ＲＳに対する測定と、当該ＣＳＩ−ＲＳグループ中の特定の一つのＣＳＩ−ＲＳに対する測定とを行うことができ、チャネル状態測定フィードバックは、第１の測定フィードバックと第２の測定フィードバックを含んでもよい。
【００７７】
具体的には、受信部８２０は、移動局からの当該ＣＳＩ−ＲＳグループに対する第１の測定フィードバックを受信することができる。決定部８３０は、ＣＳＩ−ＲＳグループ毎の第１の測定フィードバックに応じて、当該ＣＳＩ−ＲＳグループ中の測定しようとするＣＳＩ−ＲＳを決定することを含んでもよい。続いて、送信部８４０は、当該ＣＳＩ−ＲＳグループ中の測定しようとするＣＳＩ−ＲＳに応じて、第２のリソース設定情報に指示される第２のリソースを用いて、測定しようとするＣＳＩ−ＲＳを移動局に送信することができる。また、第１段階において、受信部８２０は、移動局からの、測定しようとするＣＳＩ−ＲＳに対する第２の測定フィードバックを受信することもできる。決定部８３０は、第２の測定フィードバックに応じて、第１のＣＳＩ−ＲＳセットから候補ＣＳＩ−ＲＳを決定することができる。
【００７８】
例えば、第２の測定フィードバックは、ＣＳＩ−ＲＳグループ毎におけるチャネル状態が最適であるＣＳＩ−ＲＳを指示してもよい。この場合、決定部８３０は、各々のＣＳＩ−ＲＳグループの第２の測定フィードバックに応じて、各々のＣＳＩ−ＲＳグループのチャネル状態が最適であるＣＳＩ−ＲＳにおいて、候補ＣＳＩ−ＲＳを決定することができる。また、例えば、移動局は、第１のＣＩＳ−ＲＳセット中の全てのＣＳＩ−ＲＳグループに対する第２の測定結果を取得した後、各々のＣＳＩ−ＲＳグループの第２の測定結果に応じて、続く第２段階において使用しようとするＣＳＩ−ＲＳを選択し、そして、選択されるＣＳＩ−ＲＳについての測定結果を基地局に送信することができる。即ち、第２の測定フィードバックは、移動局によって第１のＣＩＳ−ＲＳセットから選択される、続く第２段階において使用しようとするＣＳＩ−ＲＳを指示してもよい。この場合、決定部８３０は、第２の測定フィードバックに指示されるＣＳＩ−ＲＳを第１のＣＳＩ−ＲＳセットの候補ＣＳＩ−ＲＳとしてもよい。
【００７９】
第１段階において、ＣＳＩ−ＲＳグループ毎に対して、測定を一回のみ行うことができる。それに応じて、決定部８３０は、移動局から送信される第３の測定フィードバック又は第４の測定フィードバックを受信することができる。続いて、ステップＳ５０３では、第３の測定フィードバック又は第４の測定フィードバックに応じて、第１のＣＳＩ−ＲＳセットから候補ＣＳＩ−ＲＳを決定する。以上、図４を参照しながら、第３の測定フィードバックと第４の測定フィードバックに関して説明したため、ここでは重複の説明を省略する。
【００８０】
また、送信部は、測定期間の第２段階において、第２のリソース設定情報に指示される第２のリソースを用いて、前記候補ＣＳＩ−ＲＳを移動局に送信する。第２段階において、基地局は、周期的に、前記候補ＣＳＩ−ＲＳを移動局に送信することができる。また、必要に応じて、第１段階と第２段階の長さを設定することができる。
【００８１】
本実施例による基地局では、検出を必要とする第１のＣＳＩ−ＲＳセット中のＣＳＩ−ＲＳを複数のグループに分け、異なるリソースを用いて、それぞれのＣＳＩ−ＲＳグループを送信することにより、チャネル状態測定と計算の複雑度を低下し、移動局の性能に対する要求を低減する。また、同じ時点でビーム測定のためのシグナリングオーバヘッドを低減する。
【００８２】
上記移動局６００、６００’と基地局８００の動作は、ハードウェアによって実現してもよいし、プロセッサにより実行されるソフトウェアモジュールによって実現してもよいし、さらに両方の組み合わせによって実現してもよい。例えば、プロセッサにより実行されるソフトウェアモジュールによって、移動局における測定部６２０と決定部６３０を実現することができる。また、例えば、プロセッサにより実行されるソフトウェアモジュールによって、基地局における決定部８３０を実現することができる。
【００８３】
ソフトウェアモジュールは、例えば、ＲＡＭ（ランダムアクセスメモリ）、フラッシュメモリ、ＲＯＭ（リードオンリーメモリ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）、レジスタ、ハードディスク、リムーバブルディスク及びＣＤ−ＲＯＭのような、いずれのフォーマットの記憶媒体に配置されてもよい。
【００８４】
このような記憶媒体は、プロセッサが当該記憶媒体に情報を書き込み、又は当該記憶媒体から情報を読み取るように、プロセッサに接続される。このような記憶媒体は、プロセッサにおいて集積されてもよい。このような記憶媒体とプロセッサは、移動局６００、６００’と基地局８００に配置されてもよい。このような記憶媒体とプロセッサは、ディスクリート部品として、移動局６００、６００’と基地局８００に配置されてもよい。
【００８５】
そのため、上記実施例により本発明を詳細に説明したが、当業者は、本発明がこれらの実施例に限定するものでないことを理解できる。本発明は、特許請求の範囲に限定される本発明の範囲から逸脱しない限り、改正され、修正された形態として実現されてもよい。従って、明細書の記載は、例示を解釈するしか意図せず、本発明に対する何らかの限定を意味しない。
【図１】
2019530359.tif 000003
【図２】
2019530359.tif 000004
【図３】
2019530359.tif 000005
【図４】
2019530359.tif 000006
【図５】
2019530359.tif 000007
【図６】
2019530359.tif 000008
【図７】
2019530359.tif 000009
【図８】
2019530359.tif 000010
【国際調査報告】
2019530359.tif 000011
2019530359.tif 000012
2019530359.tif 000013
2019530359.tif 000014